(57)【要約】【課題】処方箋医薬品の提供を受けた利用者が、添付書類の記載事項を容易に参照することを可能にする技術を提供すること。【解決手段】薬剤の画像であって薬剤に関する添付書類の記載事項を取得するための情報を示す電子透かしが埋め込まれた画像と、薬剤に関する説明事項とを印刷媒体に印刷することによって薬剤説明書を製造する。【選択図】図２
2018191106.tif 000002
【特許請求の範囲】
【請求項１】
薬剤の画像であって前記薬剤に関する添付書類の記載事項を取得するための情報を示す電子透かしが埋め込まれた画像と、前記薬剤に関する説明事項とを印刷媒体に印刷することによって薬剤説明書を製造する薬剤説明書の製造方法。
【請求項２】
前記情報は、前記薬剤に関する添付書類の記載事項を取得するためのアクセス先を示すＵＲＬである、
請求項１に記載の薬剤説明書の製造方法。
【請求項３】
前記電子透かしが埋め込まれた画像を、前記印刷媒体における印刷面のうち、前記印刷媒体を２等分又は４等分するように折り曲げた際の折り目を除く部分に印刷する、
請求項１又は２に記載の薬剤説明書の製造方法。
【請求項４】
薬剤説明書を出力する出力装置であって、
薬剤の画像であって前記薬剤に関する添付書類の記載事項を取得するための情報を示す電子透かしが埋め込まれた画像と、前記薬剤に関する説明事項とを取得する取得部と、
前記取得部で取得された前記画像と前記説明事項とを印刷媒体に印刷するための印刷データを生成する生成部と、
前記印刷データを前記印刷媒体に印刷する処理を行う印刷部と、
を有する出力装置。
【請求項５】
前記情報は、前記薬剤に関する添付書類の記載事項を取得するためのアクセス先を示すＵＲＬである、
請求項４に記載の出力装置。
【請求項６】
前記生成部は、前記画像が、前記印刷媒体における印刷面のうち、前記印刷媒体を２等分又は４等分するように折り曲げた際の折り目を除く部分に含まれる前記印刷データを生成する、
請求項４又は５に記載の出力装置。
【請求項７】
薬剤に関する情報を管理する管理サーバであって、
端末から、薬剤に関する添付書類の記載事項を要求する要求メッセージを受信する受信部と、
前記要求メッセージを受信した場合に、前記薬剤に関する添付書類の記載事項を取得し、取得した前記薬剤に関する添付書類の記載事項を含む応答メッセージを前記端末に送信する送信部と、
を有する管理サーバ。
【請求項８】
前記要求メッセージには、前記薬剤に関する添付書類の記載事項の格納先を示すＵＲＬの一部が含まれる。
請求項７に記載の管理サーバ。
【請求項９】
前記薬剤に関する添付書類の記載事項が参照された回数を含むログデータを前記薬剤ごとに記録する記録部と、
前記記録部で記録されたログデータを出力する出力部と、を更に有する、
請求項７又は８に記載の管理サーバ。
【請求項１０】
薬剤説明書を出力する出力装置が実行する出力方法であって、
薬剤の画像であって前記薬剤に関する添付書類の記載事項を取得するための情報を示す電子透かしが埋め込まれた画像と、前記薬剤に関する説明事項とを取得するステップと、
取得された前記画像と前記説明事項とを印刷媒体に印刷するための印刷データを生成するステップと、
前記印刷データを前記印刷媒体に印刷する処理を行うステップと、
を有する出力方法。
【請求項１１】
薬剤に関する情報を管理する管理サーバが実行する管理方法であって、
端末から、薬剤に関する添付書類の記載事項を要求する要求メッセージを受信するステップと、
前記要求メッセージを受信した場合に、前記薬剤に関する添付書類の記載事項を取得し、取得した前記薬剤に関する添付書類の記載事項を含む応答メッセージを前記端末に送信するステップと、
を有する管理方法。
【発明の詳細な説明】
【技術分野】
【０００１】
本発明は、薬剤説明書の製造方法、出力装置、管理サーバ、出力方法及び管理方法に関する。
【背景技術】
【０００２】
医薬品は、大まかに、医師等の処方箋により処方される処方箋医薬品と、薬局等の店頭で購入可能な一般用医薬品とに区別されている。また、医薬品には、「医薬品、医療機器等の品質、有効性及び安全性の確保等に関する法律」に基づき、用法、用量、使用及び取扱い上の注意事項等を詳細に記載した“添付文書”と称される書類を添付しなければならないこととされている。処方箋医薬品及び一般用医薬品の添付文書はインターネット上で公開されており、何人も参照することが可能である（非特許文献１）。
【先行技術文献】
【非特許文献】
【０００３】
【非特許文献１】独立行政法人  医薬品医療機器総合機構、[online]、[平成２９年４月４日検索]、インターネット<URL:https://www.pmda.go.jp>
【発明の概要】
【発明が解決しようとする課題】
【０００４】
一般用医薬品に係る添付文書は薬剤のパッケージ内に封入することが義務付けられていることから、薬剤を購入した利用者は容易に添付文書を参照することができる。一方、調剤薬局において処方箋医薬品を処方する場合、医薬品と一緒に薬の画像、名称、効能及び飲み方等が簡潔に記載された説明書（以下、「薬剤説明書」と言う。）を利用者（患者等）に渡すのみであり、上述の添付文書そのものを患者に渡すことは一般的に行われていないのが現状である。
【０００５】
現在、利用者の意識向上と共に、自らに処方された医薬品について詳細な情報を知りたいとのニーズが増えてきている。薬剤説明書に記載された事項よりも詳細な情報を知りたい利用者は、インターネット上で公開されているサイトにアクセスして添付文書の電子ファイルをダウンロードしたり、調剤薬局の店頭にて添付文書のコピーを貰ったりといった方法により添付文書を入手することになる。しかしながら、このような方法は、利用者にとっては非常に煩雑であるという問題がある。
【０００６】
そこで、本発明は、処方箋医薬品の提供を受けた利用者が、添付書類の記載事項を容易に参照することを可能にする技術を提供することを目的とする。
【課題を解決するための手段】
【０００７】
本発明の一態様に係る薬剤説明書の製造方法は、薬剤の画像であって薬剤に関する添付書類の記載事項を取得するための情報を示す電子透かしが埋め込まれた画像と、薬剤に関する説明事項とを印刷媒体に印刷することによって薬剤説明書を製造する薬剤説明書の製造方法である。この態様によれば、利用者は、処方箋医薬品と一緒に渡される薬剤説明書に印刷された薬剤の画像を、端末を介して読み取ることで、薬剤に関する詳細な情報に容易にアクセスすることが可能になる。
【０００８】
上記態様において、当該情報は、薬剤に関する添付書類の記載事項を取得するためのアクセス先を示すＵＲＬであってもよい。この態様によれば、ＵＲＬを用いて添付書類の記載事項の格納場所を示すことが可能になる。
【０００９】
上記態様において、電子透かしが埋め込まれた画像を、印刷媒体における印刷面のうち、印刷媒体を２等分又は４等分するように折り曲げた際の折り目を除く部分に印刷するようにしてもよい。この態様によれば、薬剤説明書が折り曲げられて保管されていた場合であっても、電子透かしが埋め込まれた画像が折り目の位置と重なることがないため、電子透かしの読み取り率が低下することを抑制することが可能になる。
【００１０】
本発明の他の態様に係る出力装置は、薬剤説明書を出力する出力装置であって、薬剤の画像であって前記薬剤に関する添付書類の記載事項を取得するための情報を示す電子透かしが埋め込まれた画像と、前記薬剤に関する説明事項とを取得する取得部と、前記取得部で取得された前記画像と前記説明事項とを印刷媒体に印刷するための印刷データを生成する生成部と、前記印刷データを前記印刷媒体に印刷する処理を行う印刷部と、を有する。この態様によれば、利用者は、処方箋医薬品と一緒に渡される薬剤説明書に印刷された薬剤の画像を、端末を介して読み取ることで、薬剤に関する詳細な情報に容易にアクセスすることが可能になる。
【００１１】
上記態様において、情報は、薬剤に関する添付書類の記載事項を取得するためのアクセス先を示すＵＲＬであるようにしてもよい。この態様によれば、ＵＲＬを用いて添付書類の記載事項の格納場所を示すことが可能になる。
【００１２】
上記態様において、生成部は、画像が、印刷媒体における印刷面のうち、印刷媒体を縦方向に２等分又は４等分するように折り曲げた際の折り目を除く部分に含まれる印刷データを生成するようにしてもよい。この態様によれば、薬剤説明書が折り曲げられて保管されていた場合であっても、電子透かしが埋め込まれた画像が折り目の位置と重なることがないため、電子透かしの読み取り率が低下することを抑制することが可能になる。
【００１３】
本発明の他の態様に係る管理サーバは、薬剤に関する情報を管理する管理サーバであって、端末から、薬剤に関する添付書類の記載事項を要求する要求メッセージを受信する受信部と、要求メッセージを受信した場合に、薬剤に関する添付書類の記載事項を取得し、取得した薬剤に関する添付書類の記載事項を含む応答メッセージを端末に送信する送信部と、有する。この態様によれば、利用者は、処方箋医薬品と一緒に渡される薬剤説明書に印刷された薬剤の画像を、端末を介して読み取ることで、薬剤に関する詳細な情報に容易にアクセスすることが可能になる。
【００１４】
上記態様において要求メッセージには、薬剤に関する添付書類の記載事項の格納先であるＵＲＬの一部が含まれるようにしてもよい。この態様によれば、ＵＲＬを用いて添付書類の記載事項の格納場所を示すことが可能になる。
【００１５】
上記態様においてコンテンツは、薬剤に関する添付文書に含まれる情報の全部又は一部であるようにしてもよい。この態様によれば、利用者は、添付文書を容易に参照することが可能になる。
【００１６】
上記態様において、薬剤に関する添付書類の記載事項が参照された回数を含むログデータを薬剤ごとに記録する記録部と、記録部で記録されたログデータを出力する出力部とを更に有するようにしてもよい。この態様によれば、添付文書にアクセスされたアクセス回数を記録することができ、当該アクセス回数を第三者に提供することで、患者の診療等に生かすことが可能になる。
【発明の効果】
【００１７】
本発明によれば、処方箋医薬品の提供を受けた利用者が、添付書類の記載事項を容易に参照することを可能にする技術を提供することが可能になる。
【図面の簡単な説明】
【００１８】
【図１】本実施形態に係る薬剤情報提供システムの構成例を示す図である。
【図２】薬剤説明書の一例を示す図である。
【図３】画像管理サーバの機能ブロック構成例を示す図である。
【図４】添付文書管理サーバの機能ブロック構成例を示す図である。
【図５】出力装置の機能ブロック構成例を示す図である。
【図６】端末の機能ブロック構成例を示す図である。
【図７】出力装置が薬剤説明書を印刷する際の処理手順例を示すシーケンス図である。
【図８】画像の印刷位置を説明するための図である
【図９】端末の画面に添付文書の記載事項を表示する際の処理手順例を示すシーケンス図である。
【発明を実施するための形態】
【００１９】
添付図面を参照して、本発明の好適な実施形態について説明する。なお、各図において、同一の符号を付したものは、同一又は同様の構成を有する。
【００２０】
＜システム構成＞
図１は、本実施形態に係る薬剤情報提供システムの構成例を示す図である。図１に示す薬剤情報提供システムは、画像管理サーバ１０、添付文書管理サーバ２０、出力装置３０及び端末４０を含む。画像管理サーバ１０、添付文書管理サーバ２０、出力装置３０及び端末４０は、無線又は有線の通信ネットワークＮを介して通信することが可能である。図１には出力装置３０及び端末４０がそれぞれ１つ図示されているが、本薬剤情報提供システムには、それぞれ２以上の出力装置３０及び端末４０が含まれていてもよい。
【００２１】
画像管理サーバ１０は、薬剤説明書に印刷される薬剤の画像及び薬剤に関する説明事項を薬剤ごとに管理するサーバである。ここで、薬剤説明書の具体例を図２に示す。薬剤説明書は、調剤薬局において薬剤と一緒に利用者（患者）に手渡される説明書であり、処方された薬剤の画像（写真）、名称、効能・効果、用法・用量（飲み方）、想定される副作用に関する情報や特定の症状が現れた際の対応方法等といった注意事項が、薬剤ごとに記載されている。画像管理サーバ１０が管理する“薬剤の画像”とは、具体的には、薬剤説明書に印刷される画像の画像データであり、“薬剤に関する説明事項”とは、具体的には、薬剤説明書に印刷される薬の名称、効能・効果、用法・用量（飲み方）及び注意事項等を示すデータである。
【００２２】
添付文書管理サーバ２０は、添付文書の記載事項を薬剤ごとに管理するサーバである。添付文書の記載事項とは、「医薬品、医療機器等の品質、有効性及び安全性の確保等に関する法律」において添付文書の記載事項として規定されている、薬剤の用法、用量、使用及び取扱い上の注意事項等であり、図２に示す薬剤説明書に記載される情報よりも更に詳細な情報である。添付文書の記載事項は、上述の法律によれば、医薬品に関する最新の論文その他により得られた知見に基づく事項であると定められていることから、添付文書の記載事項は適宜変更される可能性がある。
【００２３】
出力装置３０は、薬剤の画像及び薬剤に関する説明事項を画像管理サーバ１０から取得して薬剤説明書を印刷するための装置であり、例えば、プリンタ及びパーソナルコンピュータ（ＰＣ）等から構成される。出力装置３０は、例えば調剤薬局に設置されることを想定している。
【００２４】
ここで、出力装置３０が画像管理サーバ１０から取得する薬剤の画像には、当該薬剤に関する添付文書の記載事項を取得するためのアクセス先を示す情報が電子透かしとして埋め込まれている。つまり、出力装置３０が印刷した薬剤説明書には、電子透かしが埋め込まれた画像が印刷される。添付文書の記載事項を取得するためのアクセス先を示す情報とは、具体的には、添付文書管理サーバ２０において、当該薬剤に対応する添付文書の記載事項が格納されているアクセス先（場所）を示すＵＲＬ（Uniform Resource Locator）である。
【００２５】
電子透かしとは、デジタルデータを人間の眼では識別できないような技法をもって画像に織り込むと共に、その画像からツール等を用いてデジタルデータを取り出す技術であり、一般的には、著作権の保護、真偽確認、認証等に広く用いられている。
【００２６】
端末４０は、利用者が利用する端末であり、例えば、スマートフォン、タブレット端末、携帯電話機等である。これに限定されず、端末４０には、パーソナルコンピュータ（ＰＣ）、ノートＰＣ、携帯情報端末（ＰＤＡ）、家庭用ゲーム機器など、通信機能及びカメラを備えた端末であればあらゆる端末を用いることができる。端末４０には、電子透かしを読み取る機能を有するアプリケーションがインストールされており、当該アプリケーションは、端末４０のカメラで撮影された薬剤の画像に埋め込まれた電子透かしを読み取ることで、ＵＲＬを認識する。また、当該アプリケーションは、認識したＵＲＬにアクセスすることで、添付文書管理サーバ２０から添付文書の記載事項を取得して端末４０の画面に表示する。
【００２７】
本実施形態によれば、調剤薬局で薬を処方された利用者は、処方された薬に関する添付文書の記載事項を、端末４０を用いて容易に参照することが可能になる。例えば、図２におけるＣＣＣカプセル（Ｎｏ３の薬剤）について、具体的な副作用等を把握したい利用者は、ＣＣＣカプセルの画像を端末４０のカメラで読み取ることで、ＣＣＣカプセルに対応する添付文書の記載事項を容易に参照することが可能になる。
【００２８】
＜機能ブロック構成＞
（画像管理サーバ）
図３は、本実施形態に係る画像管理サーバ１０の機能ブロック構成例を示す図である。画像管理サーバ１０は、通信部１０１と、画像生成部１０２と、記憶部１０３とを含む。
記憶部１０３には、薬剤説明書に印刷される薬剤の画像及び薬剤に関する説明事項を薬剤ごとに格納する「薬剤情報ＤＢ（DataBase）」が記憶される。
【００２９】
通信部１０１と、画像生成部１０２とは、画像管理サーバ１０のメモリに記憶されたプログラムが、ＣＰＵに実行させる処理により実現することができる。また当該プログラムは、例えば非一時的（non-transitory）な記憶媒体に格納することができる。記憶部１０３は、画像管理サーバ１０が備えるメモリ等又は画像管理サーバ１０にネットワークを介して接続された記憶装置等を用いて実現することができる。
【００３０】
通信部１０１は、通信ネットワークＮを介して出力装置３０と通信する機能を有する。また、通信部１０１は、出力装置３０から、薬剤説明書に印刷すべき薬剤の画像及び薬剤に関する説明事項についてのデータを要求された場合に、要求されたデータを薬剤情報ＤＢから取得して出力装置３０に送信する機能を有する。画像生成部１０２は、薬剤の画像に、添付文書の記載事項を取得するためのアクセス先を示すＵＲＬを電子透かしとして埋め込んで薬剤情報ＤＢに格納する機能を有する。
【００３１】
なお、本実施形態において、薬剤情報ＤＢに、電子透かしが予め埋め込まれた薬剤の画像を格納することで、画像生成部１０２を画像管理サーバ１０内に実装しない構成とするようにしてもよい。例えば、ＵＲＬを電子透かしとして埋め込む機能を、外部のツールとして第三者に提供し、薬剤情報ＤＢには、当該外部のツールを用いてＵＲＬが電子透かしとして埋め込まれた画像を格納するようにしてもよい。
【００３２】
（添付文書管理サーバ）
図４は、本実施形態に係る添付文書管理サーバ２０の機能ブロック構成例を示す図である。添付文書管理サーバ２０は、通信部２０１と、ログ記録部２０２と、ログ出力部２０３と、記憶部２０４と、を含む。記憶部２０４には、添付文書の記載事項を薬剤ごとに格納する「添付文書ＤＢ」と、添付文書の記載事項が参照された回数を含むログデータを薬剤ごとに格納する「ログデータＤＢ」とが記憶される。
【００３３】
通信部２０１と、ログ記録部２０２と、ログ出力部２０３とは、添付文書管理サーバ２０のメモリに記憶されたプログラムが、ＣＰＵに実行させる処理により実現することができる。また当該プログラムは、例えば非一時的な記憶媒体に格納することができる。記憶部２０４は、添付文書管理サーバ２０が備えるメモリ等又は画像管理サーバ１０にネットワークを介して接続された記憶装置等を用いて実現することができる。
【００３４】
通信部２０１は、通信ネットワークＮを介して端末４０と通信する機能を有する。また、通信部２０１は、端末４０から、薬剤に関する添付書類の記載事項を要求する要求メッセージを受信する機能を有する。また、通信部２０１は、当該要求メッセージを受信した場合に、当該要求メッセージで要求された薬剤に関する添付文書の記載事項を添付文書ＤＢから取得し、取得した添付文書の記載事項を含む応答メッセージを端末４０に送信する機能を有する。
【００３５】
ログ記録部２０２は、添付書類の記載事項が参照された回数を含むログデータを薬剤ごとにログデータＤＢに記録する機能を有する。なおログ記録部２０２は、更に、添付文書の記載事項が参照された時刻（タイムスタンプ）、参照した利用者を一意に特定する識別子（ＩＤ）等をログデータＤＢに記録するようにしてもよい。利用者を一意に特定する識別子は、例えば、端末４０から送信される薬剤に関する添付書類の記載事項を要求する要求メッセージに含まれていてもよい。
【００３６】
ログ出力部２０３は、ログデータＤＢからログデータを読み出して出力する機能を有する。添付文書管理サーバ２０で記録されたログデータを外部から参照可能とすることで、例えば、医療機関、医師、医療関係者が、添付文書へのアクセス状況を把握することが可能になる。また、利用者（患者）ごとのアクセス状況から、様々な薬剤の服用状況を類推して診察に生かすことも可能になる。
【００３７】
（出力装置）
図５は、本実施形態に係る出力装置３０の機能ブロック構成例を示す図である。出力装置３０は、通信部３０１と、生成部３０２と、印刷処理部３０３とを含む。
【００３８】
通信部３０１と、生成部３０２と、印刷処理部３０３とは、出力装置３０のメモリに記憶されたプログラムが、ＣＰＵに実行させる処理により実現することができる。また当該プログラムは、例えば非一時的な記憶媒体に格納することができる。
【００３９】
通信部３０１は、通信ネットワークＮを介して画像管理サーバ１０と通信する機能を有する。また、通信部３０１は、電子透かしが埋め込まれた薬剤の画像と、薬剤に関する説明事項とを、画像管理サーバ１０から取得する機能を有する。生成部３０２は、通信部３０１で取得された、薬剤説明書に印刷する１以上の薬剤に関する薬剤の画像と薬剤に関する説明事項とを、印刷媒体に印刷するための印刷データを生成する機能を有する。
【００４０】
印刷処理部３０３は、生成部３０２で生成された印刷データを出力装置３０に接続されたプリンタで印刷媒体に印刷する（薬剤説明書を印刷する）機能を有する。
【００４１】
（端末）
図６は、本実施形態に係る端末４０の機能ブロック構成例を示す図である。端末４０は、通信部４０１と、読取部４０２と、表示部４０３とを含む。
【００４２】
通信部４０１と、読取部４０２と、表示部４０３とは、端末４０のメモリに記憶された（インストールされた）プログラムが、ＣＰＵに実行させる処理により実現することができる。また当該プログラムは、例えば非一時的な記憶媒体に格納することができる。
【００４３】
通信部４０１は、通信ネットワークＮを介して添付文書管理サーバ２０と通信する機能を有する。また、通信部４０１は、添付文書管理サーバ２０に、薬剤に関する添付書類の記載事項を要求する要求メッセージを送信する機能を有する。また、通信部４０１は、添付文書の記載事項を含む応答メッセージを添付文書管理サーバ２０から受信する機能を有する。
【００４４】
読取部４０２は、端末４０が備えるカメラで撮影された画像に埋め込まれている電子透かしを読み取る機能、及び電子透かしから所定の情報を抽出する機能を有する。
【００４５】
表示部４０３は、添付文書管理サーバ２０から取得した添付文書の記載事項を端末４０が備えるディスプレイに表示する機能を有する。
【００４６】
＜処理手順＞
図７は、出力装置３０が薬剤説明書を印刷する際の処理手順例を示すシーケンス図である。図７に示すシーケンスは、例えば、調剤薬局において、薬剤師等が、出力装置３０を用いて、利用者（患者）に手渡す薬剤説明書を印刷する際に行われる。
【００４７】
まず、薬剤師等が、出力装置３０の画面等を操作することで、利用者（患者）に処方される１以上の薬剤を指定する。続いて、出力装置３０の通信部３０１は、画像管理サーバ１０に対し、利用者（患者）に処方される１以上の薬剤を示す情報を送信する。当該情報には、例えば、薬剤ごとに割り当てられている識別子が含まれる。続いて、画像管理サーバ１０の通信部１０１は、薬剤説明書に印刷する１以上の薬剤に関する薬剤の画像と薬剤に関する説明事項とを出力装置３０に送信する（Ｓ１０１）。
【００４８】
なお、出力装置３０の通信部３０１は、画像管理サーバ１０の薬剤情報ＤＢに格納されている全ての薬剤に関する薬剤の画像と薬剤に関する説明事項とを、バッチ処理により、画像管理サーバ１０から定期的に取得しておくようにしてもよい。すなわち、ステップＳ１０１の処理手順は、薬剤説明書を印刷する度に行われるのではなく、バッチ処理として予め行われるようにしてもよい。画像管理サーバ１０と出力装置３０との間の通信頻度を削減することが可能になる。
【００４９】
続いて、出力装置３０の生成部３０２は、通信部３０１で取得された、１以上の薬剤に関する薬剤の画像と薬剤に関する説明事項とを、印刷媒体に印刷するための印刷データを生成し、印刷処理部３０３は、生成部３０２で生成された印刷データを印刷媒体に印刷する（Ｓ１０２）。
【００５０】
ここで、生成部３０２は、薬剤の画像が、印刷媒体における印刷面のうち印刷媒体を２等分又は４等分するように折り曲げた際の折り目を除く部分に含まれるように、印刷データを生成するようにしてもよい。例えば、薬剤説明書を印刷用紙に対して縦方向に印刷すると仮定した場合、生成部３０２は、１以上の薬の画像の各々が、印刷用紙を上下に２等分するように折り曲げた際の横方向の折り目（図８の１００１）と重ならない位置に配置されるように印刷データを生成するようにしてもよい。また、生成部３０２は、１以上の薬の画像の各々が、印刷用紙を上下及び左右に４等分するように折り曲げた際の横方向の折り目（図８の１００１）及び縦方向の折り目（図８の１００２）と重ならない位置に配置されるように印刷データを生成するようにしてもよい。利用者は、調剤薬局で薬と薬剤説明書を受け取った後、薬剤説明書を２つ又は４つに折り曲げてバック等に入れることが通常であると想定される。従って、薬の画像の各々が薬剤説明書の折り目と重ならないように印刷することで、端末４０で電子透かしを読み取る際に、画像と折り目が重なることで認識率が低下してしまう可能性を抑制することが可能になる。
【００５１】
また、生成部３０２は、薬剤の画像が、印刷媒体における印刷面のうち印刷媒体を２等分又は４等分するように折り曲げた際の折り目を含む所定の幅（例えば５ｍｍ幅又は１ｃｍ幅など）を除く部分に含まれるように、印刷データを生成するようにしてもよい。例えば、生成部３０２は、図８の折り目１００１を基準として、上方向に５ｍｍ及び下方向に５ｍｍの範囲（すなわち１ｃｍ幅）で囲まれた範囲を除く部分に薬剤の画像が含まれるように印刷データを生成するようにしてもよい。また、生成部３０２は、図８の折り目１００２を基準として右方向に５ｍｍ及び左方向に５ｍｍ（すなわち１ｃｍ幅）の範囲で囲まれた範囲を除く部分に薬剤の画像が含まれるように印刷データを生成するようにしてもよい。利用者が薬剤説明書を雑に折り曲げた際であっても、画像と折り目が重なることで電子透かしの認識率が低下してしまう可能性を抑制することが可能になる。
【００５２】
図９は、端末４０の画面に添付文書の記載事項を表示する際の処理手順例を示すシーケンス図である。図９に示すシーケンスは、例えば、薬剤説明書を受け取った利用者が、添付文書の記載事項を参照する際に行われる。
【００５３】
まず、端末４０の読取部４０２は、利用者の操作に基づき撮影された薬剤の画像に埋め込まれた電子透かしから、アクセス先のＵＲＬを抽出する（Ｓ２０１）。当該ＵＲＬには、サーバ（添付文書管理サーバ２０）のドメイン名又はＩＰアドレス、及び、薬剤に関する添付文書の記載事項の格納先を示すパス名が含まれていてもよい。
【００５４】
続いて、通信部４０１は、抽出したＵＲＬで示されるサーバ（添付文書管理サーバ２０）に対し、添付文書の記載事項を要求する要求メッセージを送信する（Ｓ２０２）。当該要求メッセージには、例えば、上述のパス名（すなわちＵＲＬの一部）が含まれる。続いて、添付文書管理サーバ２０の通信部２０１は、受信した要求メッセージで指定される薬剤に関する添付文書の記載事項を添付文書ＤＢから取得し、取得した添付文書の記載事項を含む応答メッセージを端末４０に送信する（Ｓ２０３）。続いて、端末４０の表示部４０３は、受信した添付文書の記載事項をディスプレイに表示する（Ｓ２０４）。
【００５５】
以上説明した実施形態によれば、利用者（患者）は、処方箋医薬品と一緒に渡される薬剤説明書に印刷された薬剤の画像を、端末４０を介して読み取るだけで、薬剤に関する詳細な情報に容易にアクセスすることが可能になる。また、薬剤説明書に印刷された画像に電子透かしを埋め込むようにしたことで、例えばＱＲコード（登録商標）等を薬剤説明書に印刷する場合と比較して、薬剤説明書の表示面積を有効活用することが可能になる。また、添付文書の記載事項を端末４０のディスプレイに表示するようにしたことで、例えば、添付文書を拡大表示することが容易となり、老齢者等が添付文書を閲覧する際の視認性を高めることが可能になる。
【００５６】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【００５７】
なお、本実施形態において、「部」とは、単に物理的手段を意味するものではなく、その「部」が有する機能をソフトウェアによって実現する場合も含む。また、１つの「部」や装置が有する機能が２つ以上の物理的手段や装置により実現されても、２つ以上の「部」や装置の機能が１つの物理的手段や装置により実現されても良い。
【符号の説明】
【００５８】
１０…画像管理サーバ、２０…添付文書管理サーバ、３０…出力装置、４０…端末、１０１…通信部、１０２…画像生成部、１０３…記憶部、２０１…通信部、２０２…ログ記録部、２０３…ログ出力部、２０４…記憶部、３０１…通信部、３０２…生成部、３０３…印刷処理部、４０１…通信部、４０２…読取部、４０３…表示部
【図１】
2018191106.tif 000003
【図２】
2018191106.tif 000004
【図３】
2018191106.tif 000005
【図４】
2018191106.tif 000006
【図５】
2018191106.tif 000007
【図６】
2018191106.tif 000008
【図７】
2018191106.tif 000009
【図８】
2018191106.tif 000010
【図９】
2018191106.tif 000011